(57)【要約】【課題】  二灯の冷陰極管をフローティング駆動する場合の異常検出ができなかった。【解決手段】  インバータトランス１４の二次巻線１４ｂの両端１４ｂ１，１４ｂ２間には二灯の冷陰極管１５ａ，１５ｂが直列に接続され、また、二次巻線１４ｂの両端１４ｂ１，１４ｂ２に逆位相の昇圧電圧が出力されるので、二灯の冷陰極管１５ａ，１５ｂはフローティング駆動される。さらに、二灯の冷陰極管１５ａ，１５ｂの接続部を分圧用中点１６とし、この分圧用中点１６とグランド間を分圧用抵抗としての複数の抵抗素子１７ａ〜１７ｄで接地し、抵抗素子１７ｄの電圧を検出部１８に入力している。検出部１８は抵抗素子１７ｄに表れる電位が許容範囲を外れて異常を検出した場合には、保護回路１９に通知し、同保護回路１９は制御ＩＣ１２と駆動回路１３を停止させる。【選択図】  図１
2011124094.tif 000002
【特許請求の範囲】
【請求項１】
二次巻線の中点を接地して両端に逆位相の電圧を発生させるインバータトランスと、
直流電源をオン・オフして上記インバータトランスの一次巻線に供給するインバータ駆動回路と、
同二次巻線の両端の間に直列に接続された二灯の冷陰極管と、
この二灯の冷陰極管の接続部である分圧用中点とグランド間を抵抗素子で分圧する分圧回路と、
この分圧回路における所定出力電圧を検出し、所定範囲を外れた時に異常状態と検出する異常検出回路とを具備することを特徴とする冷陰極管の点灯装置。
【請求項２】
上記二灯の冷陰極管は、一対の分離可能なコネクタを介して上記二次巻線と分圧用中点に接続されていることを特徴とする請求項１に記載の冷陰極管の点灯装置。
【請求項３】
異常検出時にインバータ駆動回路を停止させる保護回路を具備することを特徴とする請求項１または請求項２に記載の冷陰極管の点灯装置。
【請求項４】
二次巻線の中点を接地して両端に逆位相の電圧を発生させるインバータトランスと、
直流電源をオン・オフして上記インバータトランスの一次巻線に供給するインバータ駆動回路と、
同二次巻線の両端の間に直列に接続されるにあたり、それぞれ一対の分離可能なコネクタを介して接続される二灯の冷陰極管と、
この二灯の冷陰極管の接続部である分圧用中点とグランド間を抵抗素子で分圧する分圧回路と、
この分圧回路における所定出力電圧を検出し、所定範囲を外れた時に異常状態と検出する異常検出回路と、
異常検出時に上記インバータ駆動回路を停止させる保護回路とを具備することを特徴とする冷陰極管の点灯装置。
【発明の詳細な説明】
【技術分野】
【０００１】
本発明は、二灯の冷陰極管の点灯装置に関し、特に、二灯の冷陰極管を直列接続してフローティング駆動で点灯させる点灯装置に関する。
【背景技術】
【０００２】
蛍光管を点灯させる点灯装置として、以下のものが知られている。
特許文献１には、コンデンサとインピーダンスによる分圧を行う保護回路が開示されている。特に、図３、段落０００２〜段落０００７には、分圧用抵抗器Ｒ７，Ｒ８，Ｒ９にて、出力電圧を電圧検出回路Ｍ１０に入力できる大きさに分圧する出力電圧分圧回路が開示されている。また、電極のエミッションの状態の良否を検出するための回路として、出力電圧分圧回路、電圧検出回路が設けられている。
【０００３】
特許文献２には、トランスの数を減らし、小型で省スペース化した低価格の放電灯点灯装置が開示されている。特に、請求項５には、冷陰極蛍光管の電極間に共振コンデンサを接続してその中点の電圧を検出することによって点灯状態の異常を検出する旨の記載がある。
特許文献３には、放電灯の点灯異常時にインバータの動作を迅速に停止するが開示されている。特に、請求項１には、直列に接続された一対の放電灯の中点位置の電圧変化を検出して、放電灯の装着を検出する旨が記載されている。
【０００４】
特許文献４には、異常を発生した蛍光ランプを容易に特定する技術が開示されている。特に、請求項１には、直列接続される二つの熱陰極蛍光ランプの中点と、蛍光ランプ対と並列接続される抵抗体対の中点との電位差を検出し、動作異常を検知する旨の記載がある。
【先行技術文献】
【特許文献】
【０００５】
【特許文献１】特開２０００−１２２６８号公報
【特許文献２】特開２００９−１５２０９５号公報
【特許文献３】特許第２８１５２３１号公報
【特許文献４】特開２００９−２１１９４４号公報
【発明の概要】
【発明が解決しようとする課題】
【０００６】
特許文献１に示す点灯装置では、一本の熱陰極管を点灯させるものであり、一本の熱陰極管の二つの点灯端子をコンデンサで連結しつつ、グランド間で分圧するものであり、二灯の冷陰極管をフローティング駆動する場合の異常検出はできない。
特許文献２は、二灯の冷陰極管をフローティング駆動するものではなく、このような場合の異常検出はできない。
特許文献３は、熱陰極管を使用しており、フローティングの構成も異なり、二灯の冷陰極管をフローティング駆動する場合の異常検出はできない。
【０００７】
特許文献４は、熱陰極管を使用しており、フローティング駆動するものではないので二灯の冷陰極管をフローティング駆動する場合の異常検出はできない。
本発明は、冷陰極管を二灯直列に接続したフローティング駆動におけるインバータ高圧部における何らかの異常による発煙、発火、トラッキング事故を防止することを目的とする。
【課題を解決するための手段】
【０００８】
本発明は、二次巻線の中点を接地して両端に逆位相の電圧を発生させるインバータトランスと、直流電源をオン・オフして上記インバータトランスの一次巻線に供給するインバータ駆動回路と、同二次巻線の両端の間に直列に接続された二灯の冷陰極管と、この二灯の冷陰極管の接続部である分圧用中点とグランド間を抵抗素子で分圧する分圧回路と、この分圧回路における所定出力電圧を検出し、所定範囲を外れた時に異常状態と検出する異常検出回路とを具備する構成としてある。
【０００９】
上記構成において、インバータトランスの二次巻線の両端の間に二灯の冷陰極管を直列に接続し、インバータ駆動回路が直流電源をオン・オフしてインバータトランスの一次巻線に供給すると、インバータトランスは二次巻線の中点を接地して両端に逆位相の電圧を発生させ、上記冷陰極管をフローティング駆動する。ここで、二次巻線の中点を接地して冷陰極管をフローティング駆動しているので、両端に逆位相の電圧を発生させつつも、冷陰極管の中点は基本的に０Ｖ付近に保持される。言い換えれば、二次巻線の両端に生じる高電圧に比較して同中点は高くても１００Ｖ程度の範囲に保持される。従って、この程度の電位であれば、分圧回路によって同二灯の冷陰極管の接続部である分圧用中点とグランド間を抵抗素子で分圧することが可能であり、異常検出回路は、この分圧回路における所定出力電圧を検出し、所定範囲を外れた時に異常状態と検出できる。
【００１０】
また、上記二灯の冷陰極管は、一対の分離可能なコネクタを介して上記二次巻線と分圧用中点に接続されるように構成しても良い。
上記構成において、このような冷陰極管のインバータ回路は、液晶パネルのバックライトなどに利用可能であるが、この場合、ユニットの組み立ての便を考慮して、二灯の冷陰極管をコネクタによって接続できるようにする。このような場合、コネクタの不良などによって、ショートやオープンといった事故が起きかねない。このような場合でも、以上のようにして異常検出できる。
【００１１】
さらに、異常検出時にインバータ駆動回路を停止させる保護回路を具備するように構成しても良い。
異常検出だけでなく、そのような場合には、保護回路がインバータ駆動回路を停止させる。
この他、これらの統合として、二次巻線の中点を接地して両端に逆位相の電圧を発生させるインバータトランスと、直流電源をオン・オフして上記インバータトランスの一次巻線に供給するインバータ駆動回路と、同二次巻線の両端の間に直列に接続されるにあたり、それぞれ一対の分離可能なコネクタを介して接続される二灯の冷陰極管と、この二灯の冷陰極管の接続部である分圧用中点とグランド間を抵抗素子で分圧する分圧回路と、この分圧回路における所定出力電圧を検出し、所定範囲を外れた時に異常状態と検出する異常検出回路と、異常検出時に上記インバータ駆動回路を停止させる保護回路とを具備する構成としても良い。
【発明の効果】
【００１２】
本発明によれば、冷陰極管を二灯直列に接続したフローティング駆動におけるインバータ高圧部における、ショートやオープンといった何らかの異常を確実に検出することが可能となる。
【図面の簡単な説明】
【００１３】
【図１】本発明の冷陰極管の点灯装置の回路図である。
【図２】上記点灯装置における電圧を示す波形図である。
【発明を実施するための形態】
【００１４】
以下、図面にもとづいて本発明の実施形態を説明する。
図１は、本発明の一実施形態にかかる冷陰極管の点灯装置を回路図により示している。
同図において、電源１１は直流電源であり、制御ＩＣ１２はこの直流電源をオン・オフし、駆動回路１３に入力させる。なお、制御ＩＣ１２と駆動回路１３とにより、一般的なインバータ駆動回路を構成している。ただし、インバータ駆動回路の構成自体はかかる構成に限られるものではなく、各種の駆動方式を採用可能である。
【００１５】
駆動回路１３は以上のようにして入力される直流電力をインバータトランス１４の一次巻線１４ａに供給する。このインバータトランス１４は一次側の入力電圧を昇圧して二次側に昇圧電圧を発生するものであり、二次巻線１４ｂは中点１４ｃを有し、グランド接続している。従って、同二次巻線１４ｂの両端１４ｂ１，１４ｂ２には逆位相の昇圧電圧が出力される。
また、二次巻線１４ｂの両端１４ｂ１，１４ｂ２間には二灯の冷陰極管１５ａ，１５ｂが直列に接続されている。二次巻線１４ｂの両端１４ｂ１，１４ｂ２に逆位相の昇圧電圧が出力されるので、二灯の冷陰極管１５ａ，１５ｂはフローティング駆動され、その接続点は理論的には０Ｖとなる。しかし、現実には冷陰極管１５ａ，１５ｂのバランスのずれや回路構成によって０Ｖとはならない。それでも、二次巻線１４ｂの両端には１１００Ｖ程度がかかり、波高値としては１６００Ｖにもなるのに比べれば、せいぜい１００Ｖ程度である。この結果、抵抗素子による分圧が十分に可能な電圧である。
【００１６】
このようなフローティング駆動でない場合は、二灯の冷陰極管を接続したとしても、その接続部位には上述した１１００Ｖオーダーの電位が生じていることになり、抵抗素子による分圧で異常電圧を検出するということは到底できない。
フローティング駆動とすることで、二灯の冷陰極管１５ａ，１５ｂの接続部を分圧用中点１６とし、この分圧用中点１６とグランド間を複数の抵抗素子１７ａ〜１７ｄで接地している。この抵抗素子１７ａ〜１７ｄは分圧回路を構成する分圧用抵抗であり、この実施例では最もグランド側の抵抗素子１７ｄをセンス抵抗として、抵抗素子１７ｄの電圧を検出部１８に入力せしめている。この検出部１８は本来であれば上述した０Ｖとなるはずの電位を検出する。あらかじめ、このような誤差を考慮して抵抗素子１７ｄに表れる電位に許容しうる所定範囲（許容範囲）を設けておき、検出部１８は抵抗素子１７ｄに表れる電位がこの許容範囲を外れていないか判断している。従って、この検出部１８が異常検出回路に相当する。
【００１７】
そして、検出部１８が異常状態を検出した場合には、保護回路１９に通知し、同保護回路１９は制御ＩＣ１２と駆動回路１３を停止させる。
なお、本発明の冷陰極管の点灯装置は、液晶パネルのバックライトに利用される。このため、二灯の冷陰極管１５ａ，１５ｂはバックパネルの筺体に固定されている。一方、インバータトランス１４などは電気回路として別基板で組み立てられているので、冷陰極管１５ａ，１５ｂは、図示しないコネクタを介することで、インバータトランス１４の二次巻線１４ｂの両端１４ｂ１，１４ｂ２と、分圧用中点１６に対して電気的に接続されることになる。すなわち、二灯の冷陰極管１５ａ，１５ｂは二次巻線１４ｂの両端１４ｂ１，１４ｂ２の間に直列に接続されるにあたり、それぞれ一対の分離可能なコネクタを介して接続されている。
【００１８】
図２は、上記点灯装置における電圧を波形図により示している。
同図に示すように、二次巻線１４ｂの一端１４ｂ１と他端１４ｂ２にはそれぞれ逆位相の高電圧が印加されるが、分圧用中点１６の電位は冷陰極管１５ａ，１５ｂのバランスのずれや回路構成に起因するぶれによって生じる１００Ｖ程度の電位しか生じていない。
抵抗素子１７ａ〜１７ｄはこの分圧用中点１６に生じる電圧を抵抗値に比例して分圧しており、抵抗素子１７ｄによって生じている電位が簡易積分回路を介して検出部１８に入力される。検出部１８は抵抗素子１７ｄに表れる所定出力電圧が予め決めておいた許容範囲を外れていないか判断し、許容範囲を外れたら保護回路１９に通知する。
【００１９】
組み立て時、冷陰極管１５ａ，１５ｂを電気的に接続するコネクタに不良があり、接続されるべき経路がオープンとなったり、ショートしたりすると、上述したようなフローティング駆動がなされなくなるので、抵抗素子１７ｄに生じる電位は上がる。
検出部１８はこのような電位の変化を検出するので、保護回路１９を介して確実にインバータ駆動回路を停止させることができる。
【００２０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２１】
１１…電源、１２…制御ＩＣ、１３…駆動回路、１４…インバータトランス、１４ａ…一次巻線、１４ｂ…二次巻線、１４ｂ１，１４ｂ２…二次巻線の両端、１４ｃ…二次巻線の中点、１５ａ，１５ｂ…冷陰極管、１６…分圧用中点、１７ａ〜１７ｄ…抵抗素子、１８…検出部、１９…保護回路。
【図１】
2011124094.tif 000003
【図２】
2011124094.tif 000004